(57)【要約】【課題】収納袋の内部に空きスペースが生じてしまうことを抑制することができ、しかも収納袋の開口が不正に開かれてもこのような不正行為を判別することを容易にする紙葉類処理装置および紙葉類処理方法を提供する。【解決手段】開口が設けられた収納袋３４の内部に紙葉類を収納させる紙葉類処理装置（例えば、紙幣処理装置２０）は、保持部（例えば、各保持部材３６）により保持される収納袋３４に紙葉類を収納したときに底部となる箇所を熱により接着させて封止する第１の接着部（例えば、各加熱部材４２）と、保持部により保持される収納袋３４の開口３４ｐを接着剤（例えば、各接着部分３４ｆ）により接着させて封止する第２の接着部（例えば、各保持部材３６）とを備えている。【選択図】図３
2018181138.tif 000002
【特許請求の範囲】
【請求項１】
開口が設けられた収納袋の内部に紙葉類を収納させる紙葉類処理装置であって、
前記収納袋を保持する保持部と、
前記保持部により保持される前記収納袋に紙葉類を収納したときに底部となる箇所を熱により接着させて封止する第１の接着部と、
前記保持部により保持される前記収納袋の前記開口を接着剤により接着させて封止する第２の接着部と、
を備えた、紙葉類処理装置。
【請求項２】
前記保持部は、前記収納袋における前記開口近傍の箇所を保持する一対の保持部材を有しており、少なくとも一つの前記保持部材は他の前記保持部材に接近する方向および離間する方向にそれぞれ移動可能となっており、
各前記保持部材が互いに接近して各前記保持部材の間に前記収納袋の前記開口近傍の箇所が挟まれたときに前記第２の接着部により当該収納袋の前記開口が封止されるようになっている、請求項１記載の紙葉類処理装置。
【請求項３】
前記第２の接着部により前記収納袋の前記開口が封止された後に、前記第１の接着部により前記収納袋の前記底部となる箇所が封止されるようになっている、請求項１または２記載の紙葉類処理装置。
【請求項４】
略鉛直方向に移動可能となっており、前記保持部により保持される前記収納袋の少なくとも一部が載置される載置部と、
前記載置部を略鉛直方向に移動させる駆動部と、
を更に備え、
前記第１の接着部は前記載置部に設けられている、請求項１乃至３のいずれか一項に記載の紙葉類処理装置。
【請求項５】
前記第２の接着部により前記収納袋の前記開口を封止する封止処理が行われる際に、前記載置部を上昇させるよう前記駆動部を制御する制御部を更に備えた、請求項４記載の紙葉類処理装置。
【請求項６】
前記制御部は、前記第１の接着部によって前記収納袋の前記底部となる箇所が封止される前に、前記載置部を上昇させるよう前記駆動部を制御する、請求項５記載の紙葉類処理装置。
【請求項７】
前記保持部により保持される前記収納袋に収納される前の複数の紙葉類を積層状態で一時的に保留する一時保留部を更に備え、
前記制御部は、前記一時保留部に保留された紙葉類が前記収納袋に収納されると、前記載置部を下方に移動させるよう前記駆動部を制御する、請求項５または６記載の紙葉類処理装置。
【請求項８】
前記一時保留部に保留された紙葉類が前記収納袋に収納される際に、紙葉類を前記収納袋に向かって押し込む押圧部を更に備えた、請求項７に記載の紙葉類処理装置。
【請求項９】
前記収納袋は、開口が設けられた袋本体と、前記袋本体における前記開口近傍に設けられ、前記保持部により保持される被保持部分と、前記袋本体の内面における前記開口近傍に設けられ、前記袋本体を封止するための接着部分とを有しており、前記接着剤は前記接着部分に設けられている、請求項１乃至８のいずれか一項に記載の紙葉類処理装置。
【請求項１０】
前記接着部分を保護する剥離シートが当該接着部分に剥離可能に貼り付けられている、請求項９記載の紙葉類処理装置。
【請求項１１】
前記接着部分は、前記袋本体の前記開口を封止した後に当該開口が開かれると前記開口が開かれたことを視覚的に示すようになっている、請求項９または１０記載の紙葉類処理装置。
【請求項１２】
複数の前記接着部分が前記収納袋の内面における前記開口近傍に設けられている、請求項９乃至１１のいずれか一項に記載の紙葉類処理装置。
【請求項１３】
前記第１の接着部は、前記収納袋の前記底部となる箇所における複数の箇所を熱により接着させるようになっている、請求項１乃至１２のいずれか一項に記載の紙葉類処理装置。
【請求項１４】
前記保持部により保持される前記収納袋の底部近傍の箇所が固定されるまたは下方に引っ張られるようになっている、請求項１乃至１３のいずれか一項に記載の紙葉類処理装置。
【請求項１５】
前記保持部により保持される前記収納袋の底部近傍の箇所に錘が引っ掛けられるようになっている、請求項１４記載の紙葉類処理装置。
【請求項１６】
開口が設けられた収納袋の内部に紙葉類を収納させる紙葉類処理方法であって、
前記収納袋を保持部により保持させる工程と、
前記保持部より保持される前記収納袋の前記開口を接着剤により封止する工程と、
前記保持部により保持される前記収納袋に紙葉類を収納したときに底部となる箇所を熱により接着して封止する工程と、
を備えた、紙葉類処理方法。
【発明の詳細な説明】
【技術分野】
【０００１】
本発明は、開口が設けられた収納袋の内部に紙葉類を収納させる紙葉類処理装置および紙葉類処理方法に関する。
【背景技術】
【０００２】
紙幣等の紙葉類の入金処理を行う紙葉類処理装置において、機体内に取り込まれた紙葉類をパウチ袋等の収納袋に収納させるようなタイプのものが従来から用いられている。このような紙葉類処理装置は、例えばスーパーマーケット等の店舗におけるバックヤード領域に設置される現金出納機の一部として用いられるようになっており、当該現金出納機は、フロント領域に設けられた現金精算機へ装填するための釣銭準備金としての貨幣を出金したり、現金精算機から回収した売上金としての貨幣を入金したりするようになっている。このような紙葉類処理装置としては例えば特許文献１や特許文献２等に開示されるものが知られている。
【０００３】
特許文献１に開示される紙幣処理装置では、紙幣を収納する収納袋の内面の開口近傍には袋本体を密閉するための接着部分が当該収納袋の幅方向に沿って延びるよう設けられており、この接着部分には、当該接着部分を保護するよう剥離シートが剥離可能に貼り付けられている。そして、剥離シートを剥がした収納袋を紙幣処理装置に取り付け、収納袋に紙幣を収納した後、接着部分によって収納袋の開口を封止することができるようになる。また、特許文献２に開示される紙幣処理装置では、一方に開口が設けられた収納袋の内部に紙幣を積層状態で収納させるための紙幣収納機構が設けられている。より詳細には、紙幣収納機構には、一対の保持部材が互いに対向するよう離間して設けられており、収納袋の開口近傍における互いに対向する２つの箇所が各保持部材によりそれぞれ保持されるようになっている。また、各保持部材にはそれぞれ加熱部材が設けられている。そして、紙幣収納機構において各保持部材により保持された収納袋に所定量の紙幣が積層状態で収納された後、当該収納袋が紙幣収納機構から取り出される前に、一方の保持部材が他方の保持部材に向かって移動してこれらの保持部材が互いに接合した状態で、加熱部材によって収納袋の開口近傍の箇所に熱が与えられることにより当該収納袋の開口はヒートシール（熱封止）されるようになっている。また、紙幣収納機構には、一対の保持部材により保持される収納袋の底部が載置されるステージが設けられている。そして、一対の保持部材により保持される収納袋に紙幣が収納される度にステージが少しずつ下降することにより、収納袋の内部における紙幣を収納するスペースが確保されるようになる。また、ステージには熱接着部が設けられており、当該熱接着部により収納袋の底部近傍の箇所が熱により接着されて封止されるようになっている。
【先行技術文献】
【特許文献】
【０００４】
【特許文献１】特開２０１４−１７４５８１号公報
【特許文献２】国際特許出願公開公報ＷＯ２０１６／１３６５１７
【発明の概要】
【発明が解決しようとする課題】
【０００５】
特許文献１に開示される紙幣処理装置では、収納袋の開口近傍の箇所のみをシールし、収納袋の内面の底部近傍の箇所は封止しないため紙幣の収納量によっては収納袋の内部に空きスペースが生じてしまうおそれがある。また、特許文献２に開示される紙幣処理装置では、収納袋の内面の底部近傍の箇所を封止するため収納袋の内部に空きスペースが生じてしまうことを抑制することができるが、収納袋の開口近傍が熱封止されているため当該開口を開いた後に再び熱封止した場合には、収納袋の開口が不正に開かれたときにこのような不正行為を判別することができないという問題がある。
【０００６】
本発明は、このような点を考慮してなされたものであり、収納袋の内部に空きスペースが生じてしまうことを抑制することができ、しかも収納袋の開口が不正に開かれてもこのような不正行為を判別することを容易にする紙葉類処理装置および紙葉類処理方法を提供することを目的とする。
【課題を解決するための手段】
【０００７】
本発明の紙葉類処理装置は、開口が設けられた収納袋の内部に紙葉類を収納させる紙葉類処理装置であって、前記収納袋を保持する保持部と、前記保持部により保持される前記収納袋に紙葉類を収納したときに底部となる箇所を熱により接着させて封止する第１の接着部と、前記保持部により保持される前記収納袋の前記開口を接着剤により接着させて封止する第２の接着部と、を備えたことを特徴とする。
【０００８】
このような紙葉類処理装置によれば、収納袋に紙葉類を収納したときに底部となる箇所を熱により接着させて封止するとともに、収納袋の開口を接着剤により接着させて封止することにより、収納袋の内部に空きスペースが生じてしまうことを抑制することができる。しかも、収納袋の開口を接着剤により接着させて封止した場合は、収納袋の開口を熱により接着させて封止した場合に比べて、開口が不正に開かれて再び封止されたことを判別しやすいので、このような不正行為を判別することが容易となる。
【０００９】
本発明の紙葉類処理装置においては、前記保持部は、前記収納袋における前記開口近傍の箇所を保持する一対の保持部材を有しており、少なくとも一つの前記保持部材は他の前記保持部材に接近する方向および離間する方向にそれぞれ移動可能となっており、各前記保持部材が互いに接近して各前記保持部材の間に前記収納袋の前記開口近傍の箇所が挟まれたときに前記第２の接着部により当該収納袋の前記開口が封止されるようになっていてもよい。
【００１０】
この場合、前記第２の接着部により前記収納袋の前記開口が封止された後に、前記第１の接着部により前記収納袋の前記底部となる箇所が封止されるようになっていてもよい。
【００１１】
本発明の紙葉類処理装置は、略鉛直方向に移動可能となっており、前記保持部により保持される前記収納袋の少なくとも一部が載置される載置部と、前記載置部を略鉛直方向に移動させる駆動部と、を更に備え、前記第１の接着部は前記載置部に設けられていてもよい。
【００１２】
この場合、本発明の紙葉類処理装置は、前記第２の接着部により前記収納袋の前記開口を封止する封止処理が行われる際に、前記載置部を上昇させるよう前記駆動部を制御する制御部を更に備えていてもよい。
【００１３】
また、前記制御部は、前記第１の接着部によって前記収納袋の前記底部となる箇所が封止される前に、前記載置部を上昇させるよう前記駆動部を制御するようになっていてもよい。
【００１４】
また、本発明の紙葉類処理装置は、前記保持部により保持される前記収納袋に収納される前の複数の紙葉類を積層状態で一時的に保留する一時保留部を更に備え、前記制御部は、前記一時保留部に保留された紙葉類が前記収納袋に収納されると、前記載置部を下方に移動させるよう前記駆動部を制御するようになっていてもよい。
【００１５】
この場合、本発明の紙葉類処理装置は、前記一時保留部に保留された紙葉類が前記収納袋に収納される際に、紙葉類を前記収納袋に向かって押し込む押圧部を更に備えていてもよい。
【００１６】
本発明の紙葉類処理装置においては、前記収納袋は、開口が設けられた袋本体と、前記袋本体における前記開口近傍に設けられ、前記保持部により保持される被保持部分と、前記袋本体の内面における前記開口近傍に設けられ、前記袋本体を封止するための接着部分とを有しており、前記接着剤は前記接着部分に設けられていてもよい。
【００１７】
この場合、前記接着部分を保護する剥離シートが当該接着部分に剥離可能に貼り付けられていてもよい。
【００１８】
また、前記接着部分は、前記袋本体の前記開口を封止した後に当該開口が開かれると前記開口が開かれたことを視覚的に示すようになっていてもよい。
【００１９】
また、複数の前記接着部分が前記収納袋の内面における前記開口近傍に設けられていてもよい。
【００２０】
本発明の紙葉類処理装置においては、前記第１の接着部は、前記収納袋の前記底部となる箇所における複数の箇所を熱により接着させるようになっていてもよい。
【００２１】
本発明の紙葉類処理装置においては、前記保持部により保持される前記収納袋の底部近傍の箇所が固定されるまたは下方に引っ張られるようになっていてもよい。
【００２２】
この場合、前記保持部により保持される前記収納袋の底部近傍の箇所に錘が引っ掛けられるようになっていてもよい。
【００２３】
本発明の紙葉類処理方法は、開口が設けられた収納袋の内部に紙葉類を収納させる紙葉類処理方法であって、前記収納袋を保持部により保持させる工程と、前記保持部より保持される前記収納袋の前記開口を接着剤により封止する工程と、前記保持部により保持される前記収納袋に紙葉類を収納したときに底部となる箇所を熱により接着して封止する工程と、を備えたことを特徴とする。
【００２４】
このような紙葉類処理方法によれば、収納袋の開口を接着剤により封止するとともに、収納袋に紙葉類を収納したときに底部となる箇所を熱により接着して封止することにより、収納袋の内部に空きスペースが生じてしまうことを抑制することができる。しかも、収納袋の開口を接着剤により接着させて封止した場合は、収納袋の開口を熱により接着させて封止した場合に比べて、開口が不正に開かれて再び封止されたことを判別しやすいので、このような不正行為を判別することが容易となる。
【発明の効果】
【００２５】
本発明の紙葉類処理装置および紙葉類処理方法によれば、収納袋の内部に空きスペースが生じてしまうことを抑制することができ、しかも収納袋の開口が不正に開かれてもこのような不正行為を判別することが容易となる。
【図面の簡単な説明】
【００２６】
【図１】本発明の実施の形態における貨幣処理機の外観を示す斜視図である。
【図２】図１に示す貨幣処理機における紙幣処理装置の内部構成を示す側面図である。
【図３】図２に示す紙幣処理装置における紙幣収納機構の構成の詳細を示す側面図である。
【図４】図３に示す紙幣収納機構における一対の保持部材等の構成を示す斜視図である。
【図５】図３等に示す紙幣収納機構において各保持部材により保持されるべき収納袋の構成を示す斜視図である。
【図６】図３等に示す紙幣収納機構の各保持部材により収納袋を保持させたときの状態を示す斜視図である。
【図７】図３等に示す紙幣収納機構により開口を封止するとともに底部となる箇所を熱により接着して封止した収納袋を示す図である。
【図８】図２等に示す紙幣処理装置の制御系の構成を示す機能ブロック図である。
【図９】（ａ）〜（ｆ）は、図３等に示す紙幣収納機構において紙幣が収納された収納袋の開口の封止を行うときの動作を順に示す説明図である。
【図１０】（ａ）〜（ｄ）は、図９（ｆ）に示す状態から引き続く、図３等に示す紙幣収納機構において紙幣が収納された収納袋の開口の封止を行うときの動作を順に示す説明図である。
【図１１】変形例に係る紙幣収納機構の構成の詳細を示す側面図である。
【図１２】図３等に示す紙幣収納機構により開口近傍の箇所を封止するとともに底部近傍の箇所を熱接着した収納袋の他の構成例を示す図である。
【図１３】（ａ）〜（ｃ）は、図３等に示す紙幣収納機構において各保持部材により保持される収納袋を下方に引っ張る様々な態様を示す図である。
【図１４】本発明の実施の形態における他の紙幣処理装置の内部構成を示す側面図である。
【発明を実施するための形態】
【００２７】
以下、本発明の実施の形態において、本発明に係る紙葉類処理装置として紙幣の処理を行う紙幣処理装置が用いられる場合について説明する。また本実施の形態では、紙幣処理装置および硬貨処理装置が組み合わせられた貨幣処理機についても説明する。図１乃至図１０は、本実施の形態に係る紙幣処理装置およびこの紙幣処理装置を備えた貨幣処理機を示す図である。
【００２８】
まず、図１を用いて本実施の形態における貨幣処理機１の構成について説明する。一般的に、スーパーマーケット等の店舗は、フロント領域とバックヤード領域とに区分けされる。フロント領域は、商品が陳列され、店員が顧客との間で実際に商品を購入する取引を行う領域である。バックヤード領域は、フロント領域とは区画され、貨幣や商品を管理する領域である。フロント領域には一または複数の貨幣精算機（例えば、貨幣釣銭機）が設置されているとともに、バックヤード領域には図１に示すような貨幣処理機１が設置されている。ここで、貨幣精算機は、店員によって操作されるようになっており、店員と顧客との間の精算処理が当該貨幣精算機によって行われる。例えば、貨幣精算機は、顧客が支払った代金を入金したり、顧客へ支払う釣銭を出金したりするようになっている。また、貨幣処理機１は、貨幣精算機へ装填するための釣銭準備金を出金したり、貨幣精算機から回収した売上金を入金したりするようになっている。そして、貨幣精算機の紙幣処理装置（図示せず）および貨幣処理機１の紙幣処理装置２０（後述）にそれぞれ着脱可能となっている紙幣収納カセット（具体的には、複数の紙幣が内部に収納されるともに収納されている紙幣を繰り出し可能となっている紙幣収納カセット）により、貨幣精算機と貨幣処理機１との間で紙幣の授受を行うようになっている。なお、紙幣収納カセットは、貨幣精算機の紙幣処理装置（図示せず）や貨幣処理機１の紙幣処理装置２０（後述）から離脱しているときには当該紙幣収納カセット内に収納された紙幣を取り出せないようになっている。
【００２９】
図１に示すように、バックヤード領域に設置される貨幣処理機１は、紙幣処理装置２０および硬貨処理装置９０を備えている。紙幣処理装置２０は、フロント領域に設置された貨幣精算機へ装填する紙幣を出金したり、貨幣精算機から回収した紙幣を入金したりするようになっている。また、硬貨処理装置９０は、フロント領域に設置された貨幣精算機へ装填する硬貨を出金したり、貨幣精算機から回収した硬貨を入金したりするようになっている。
【００３０】
次に、図１および図２を用いて紙幣処理装置２０の構成について説明する。なお、図２における筐体２０ａ（後述）の右側の側面が紙幣処理装置２０の前面側（すなわち、図１に示すように紙幣処理装置２０を手前側から見たときの正面側）となっており、図２における左方向が筐体２０ａの奥行き方向となっている。
【００３１】
図１に示すように、紙幣処理装置２０は、筐体２０ａと、投入部２１と、投出部２２と、操作表示部２９とを備えており、投入部２１には、紙幣受入ユニット２１ａが着脱自在に装着されている。ここで、紙幣受入ユニット２１ａは、紙幣処理装置２０の外部から紙幣を受け入れて１枚ずつ紙幣繰出機構２１ｂにより筐体２０ａの内部に繰り出すようになっている。このような紙幣受入ユニット２１ａは、操作者（すなわち、店員）が紙幣処理装置２０へ紙幣を手動で入金する場合に用いられるようになっている。また、投入部２１には、紙幣受入ユニット２１ａの代わりに、上述した紙幣収納カセットを装着することができるようになっている。この場合には、紙幣収納カセットが投入部２１に装着されたときに、この紙幣収納カセットの内部に設けられた繰出機構により紙幣収納カセット内の紙幣が１枚ずつ筐体２０ａの内部に繰り出されるようになっている。また、投出部２２は、収納繰出部２５（後述）から繰り出された紙幣を積層状態で集積するようになっており、投出部２２に集積された紙幣は、筐体２０ａの外部からアクセスすることができるようになっている。
【００３２】
また、操作表示部２９は、貨幣処理機１における紙幣や硬貨の収納状態等の様々な情報を表示するとともに、操作者がデータを入力することができるように構成されている。操作表示部２９は、例えばタッチパネル式のディスプレイ等から構成されている。なお、操作表示部２９は、紙幣処理装置２０または硬貨処理装置９０のいずれか一方に設けられ、それらの両方の情報を表示するために共通に用いられるようになっている。
【００３３】
図２に示すように、紙幣処理装置２０の筐体２０ａの内部には紙幣を１枚ずつ搬送する搬送部２３が設けられており、この搬送部２３の端部２３ａに上述した投入部２１が接続されている。そして、紙幣受入ユニット２１ａが投入部２１に装着されたときに、当該紙幣受入ユニット２１ａから繰り出された紙幣は搬送部２３の端部２３ａを介して当該搬送部２３により搬送されるようになっている。また、図２に示すように、搬送部２３には識別部２４が設けられており、この識別部２４によって、搬送部２３により搬送される紙幣の金種、正損、真偽等の識別を行うようになっている。具体的には、識別部２４はイメージセンサや磁気センサ、厚みセンサ等を有している。ここで、イメージセンサは搬送部２３を搬送される紙幣を撮像するようになっており、撮像された紙幣の画像に基づいて当該紙幣の金種等の識別を行うようになっている。
【００３４】
また、図２に示すように、紙幣処理装置２０には、機外リジェクト部２７および機内リジェクト部２８がそれぞれ設けられている。ここで、機外リジェクト部２７には、投入部２１により筐体２０ａ内に投入された紙幣のうち識別部２４により正常な紙幣ではないと識別された紙幣がリジェクト紙幣として搬送部２３から送られるようになっており、この機外リジェクト部２７によりリジェクト紙幣を紙幣処理装置２０の外部に投出するようになっている。一方、機内リジェクト部２８には、紙幣処理装置２０の外部に投出することのできないようなリジェクト紙幣が搬送部２３から送られるようになっており、この機内リジェクト部２８にリジェクト紙幣を収納するようになっている。そして、店員等の管理権限のない操作者は機内リジェクト部２８内の紙幣を取り出すことはできないようになっている。
【００３５】
また、筐体２０ａの内部には複数の収納繰出部２５が設けられており、各収納繰出部２５はそれぞれ搬送部２３に接続されている。各収納繰出部２５は、紙幣を金種別に収納するようになっている。より詳細には、識別部２４による識別結果に基づいて、投入部２１から搬送部２３に繰り出された紙幣は当該搬送部２３により各収納繰出部２５に金種別に送られるようになっている。また、各収納繰出部２５は、当該収納繰出部２５に収納された紙幣を１枚ずつ搬送部２３に繰り出すことができるようになっている。具体的には、各収納繰出部２５として、巻き取り式の紙幣収納繰出部が用いられている。巻き取り式の紙幣収納繰出部は、複数の紙幣を１枚ずつ巻き取るための帯状の巻取部材の一端が、例えばその外周面に接続され、回転軸心を中心として回転する略円筒形状のドラムを有するものである。また、紙幣が帯状の巻取部材によりドラムに巻き取られることにより紙幣が収納されるとともに帯状の巻取部材がドラムから巻き戻されることにより収納されている紙幣がドラムから繰り出されるようになっている。
【００３６】
また、本実施の形態による紙幣処理装置２０においては、筐体２０ａの内部には紙幣収納機構３２（図２参照）が設けられている。また、紙幣収納機構３２には、紙幣を収納する収納袋３４が着脱自在に取付可能となっており、収納繰出部２５から搬送部２３を経て紙幣収納機構３２に送られた紙幣が収納袋３４内に収納されるようになっている。紙幣は、整列されないバラバラの状態で収納袋３４内に収納されてもよいが、本実施の形態では、複数枚の紙幣が積層状態で収納袋３４内に収納される。このような場合は、より多くの枚数の紙幣を収納袋３４内に収納することができる。ここで、紙幣を収納する収納袋３４は、例えばポリエチレンを材料とした袋形状または筒形状とされ、紙幣の出し入れを行うための開口３４ｐ（図５参照）が上部に設けられている。本実施の形態では、袋形状の収納袋３４について図５および図７を用いてより詳細に説明する。図５に示すように、収納袋３４は、上部に開口３４ｐが設けられた袋本体３４ａを有している。この袋本体３４ａの一方の表面における開口３４ｐの近傍の箇所には取付タブ３４ｂが取り付けられている。袋本体３４ａの他方の表面における開口３４ｐの近傍の箇所にも取付タブ３４ｂが取り付けられている。また、各取付タブ３４ｂには、袋本体３４ａにおける開口３４ｐの縁部よりも上方に突出するような耳部分３４ｃが２つ設けられている。各耳部分３４ｃには、取付用の開口３４ｄが形成されている。また、各耳部分３４ｃにはそれぞれミシン目３４ｅが設けられており、これらのミシン目３４ｅに沿って各耳部分３４ｃを折り曲げることができるようになっている。
【００３７】
また、図５に示すように、袋本体３４ａの一方の内面における取付タブ３４ｂの近傍には、収納袋３４の開口３４ｐを封止するための横方向に（すなわち、収納袋３４の幅方向に）細長い接着部分３４ｆが設けられている。接着部分３４ｆには、接着剤が塗布されている。接着部分３４ｆが１本だけ設けられてもよいが、収納袋３４の開口３４ｐをより確実に封止するために、接着部分３４ｆが複数本設けられてもよい。本実施の形態では、接着部分３４ｆが２本設けられている。これらの接着部分３４ｆには、２本の接着部分３４ｆを保護するよう１枚の剥離シート３４ｇが剥離可能に貼り付けられている。このような剥離シート３４ｇを剥がすことにより、各接着部分３４ｆを露出させることができるようになっている。ここで、本実施の形態では、剥離シート３４ｇにより保護される各接着部分３４ｆとしてセキュリティシールが用いられてもよい。この場合には、セキュリティシールとしての接着部分３４ｆは、収納袋３４の開口３４ｐを封止した後に当該開口３４ｐが開かれると例えば「開封済」という文字が浮かび上がることにより開口３４ｐが開かれたことを視覚的に示すようになる。
【００３８】
また、本実施の形態の収納袋３４は、略長方形形状の２枚のフィルムを重ね合わせた後に両側縁近傍の箇所および底部近傍の箇所（すなわち、図７において参照符合３４ｉで示す箇所）をそれぞれ熱により接着して封止することにより形成されるようになっている。ここで、収納袋３４は、開口３４ｐの近傍以外の箇所は後述する各加熱部材４２により熱接着して封止することができるような材料から形成されている。また、収納袋３４には小さな空気抜き用の穴が複数設けられている。
【００３９】
なお、本実施の形態の紙幣処理装置２０では、各収納繰出部２５に割り当てられていない金種の紙幣や、対応する金種の収納繰出部２５がフル状態のために収納できないオーバーフロー紙幣も収納袋３４内に収納されるようになっている。そして、紙幣が収納された収納袋３４を紙幣収納機構３２から取り出すことにより、紙幣処理装置２０から収納袋３４ごと紙幣の回収を行うようになっている。
【００４０】
次に、このような紙幣処理装置２０における紙幣収納機構３２の構成の詳細について図３、図４および図６を用いて説明する。図３は、紙幣収納機構３２の構成の詳細を示す側面図であり、図４は、図３に示す紙幣収納機構３２における一対の保持部材３６等の構成を示す斜視図である。また、図６は、図３等に示す紙幣収納機構３２の各保持部材３６により収納袋３４を保持させたときの状態を示す斜視図である。
【００４１】
本実施の形態の紙幣収納機構３２においては、図２および図３に示すように、紙幣収納機構３２の入口側に紙幣導入部７０が設けられている。より詳細には、図３に示すように、紙幣導入部７０は一対のローラ７２、７４を有しており、搬送部２３から紙幣収納機構３２に送られた紙幣は一対のローラ７２、７４の間に形成されるニップ部を通過することにより紙幣収納機構３２に導かれるようになっている。ここで、紙幣導入部７０は、搬送部２３から紙幣収納機構３２に送られた紙幣の反りを矯正するための反り矯正機構として機能するようになっていてもよい。より詳細には、ローラ７２の幅方向における中央近傍に溝部が設けられており、ローラ７４はローラ７２の溝部に入るようになっていてもよい。このことにより、紙幣導入部７０を通過する紙幣の一部の領域をローラ７４によりローラ７２の溝部の中に押し込むことができるようになる。このようにして、各収納繰出部２５から搬送部２３に繰り出された紙幣に対して、折り目等の、反り癖とは異なる癖をつけることができ、よって紙幣の反りを矯正することができるようになる。
【００４２】
図３に示すように、紙幣送り出し部４８は、ローラやベルトを組み合わせたものからなり、当該紙幣送り出し部４８は、紙幣導入部７０により搬送部２３から導かれた紙幣を１枚ずつ一時保留部４４上に送って当該一時保留部４４上に集積させるようになっている。一時保留部４４は、複数枚の紙幣を積層状態で保留する。一時保留部４４は左右一対のものからなり、各一時保留部４４の基端部分に設けられた軸４４ａを中心として各一時保留部４４は下方（すなわち、図３における矢印方向）にそれぞれ回転することができるようになっている。
【００４３】
また、図３等に示すように、紙幣収納機構３２は保持部を備えている。保持部は、収納袋３４が紙幣を収納できる姿勢になるように、収納袋３４を保持するものであればよい。好ましくは、保持部は、収納袋３４の開口３４ｐが開かれた状態で収納袋３４を保持するものがよい。本実施の形態では、保持部として、一対の保持部材３６が互いに対向するよう離間して設けられており、収納袋３４の開口３４ｐの近傍の箇所が各保持部材３６によりそれぞれ保持されるようになっている。ここで、ある保持部材３６（具体的には、例えば図３における左側の保持部材３６）はその位置が固定されているのに対し、別の保持部材３６（具体的には、例えば図３における右側の保持部材３６）は位置固定の保持部材３６に向かって移動することができるようになっている。具体的に説明すると、図４に示すように、左右一対の保持部材３６のうち一方の保持部材３６にはパンタグラフ３７が設けられており、当該パンタグラフ３７により一方の保持部材３６は他方の保持部材３６に向かって移動させられてこれらの保持部材３６が互いに接するようになっている。より詳細には、一方の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、一方の保持部材３６に設けられたガイドピン３６ｐが長穴３６ｑに沿って案内されることにより、当該一方の保持部材３６は他方の保持部材３６に向かって移動させられるようになる。このことにより、一方の保持部材３６の面が、他方の保持部材３６の面に接するようになる。また、収納袋３４において剥離シート３４ｇが剥がされることにより各接着部分３４ｆが露出している場合には、各保持部材３６が互いに接すると収納袋３４の一方の内面に設けられた各接着部分３４ｆが収納袋３４の他方の内面に接着することにより収納袋３４の開口３４ｐが封止されるようになる。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接するようになっていてもよい。
【００４４】
また、図４に示すように、左右一対の保持部材３６の上面にはそれぞれ２つのピン３６ａが設けられている。ここで、上述したように、各保持部材３６により保持されるべき収納袋３４の開口３４ｐの近傍の箇所（すなわち、収納袋３４の上端部）には、それぞれ開口３４ｄを有する２つの耳部分３４ｃが設けられた取付タブ３４ｂが取り付けられており、収納袋３４が各保持部材３６により保持される際に、ミシン目３４ｅに沿って各耳部分３４ｃが折り曲げられた後、収納袋３４の各耳部分３４ｃに設けられた各開口３４ｄに各保持部材３６の各ピン３６ａが通されることにより、これらの各耳部分３４ｃが各保持部材３６により保持されるようになっている。
【００４５】
また、図３に示すように、紙幣収納機構３２において、各保持部材３６により保持される収納袋３４の少なくとも一部が載置されるステージ４０（載置部）が設けられている。ステージ４０は、収納袋３４の少なくとも一部を載置し、鉛直方向に移動可能なものであればよいが、本実施の形態では、ステージ４０は左右一対のものからなり、各ステージ４０は図３における上下方向および左右方向にそれぞれ移動可能となっている。より詳細には、図６等に示すように、一対のステージ４０は、各ステージ４０の端部に設けられたヒンジ部４０ａにより互いに連結されており、各ステージ４０は水平面に沿ってヒンジ部４０ａを中心として図６における矢印方向に揺動することができるようになっている。また、各ステージ４０が開いた場合には、これらのステージ４０の間に隙間が形成されるようになる。そして、保持部材３６により保持される収納袋３４の一部を、この隙間を通って各ステージ４０から下方に延びるようにすることができるようになっている。なお、各ステージ４０は電動アクチュエータ等のステージ駆動部４１（図８参照）により駆動されるようになっている。具体的には、ステージ駆動部４１により各ステージ４０が図３における上下方向に移動させられるとともに、水平面に沿ってヒンジ部４０ａを中心として開閉させられるようになっている。なお、上述したように一対のステージ４０はヒンジ部４０ａにより互いに連結されており当該ヒンジ部４０ａを中心として開閉するようになっているが、図３、図９および図１０等では、便宜上、ヒンジ部４０ａを中心とした各ステージ４０の開閉動作を、各ステージ４０の左右方向の移動動作で示すようになっている。
【００４６】
また、各ステージ４０にはそれぞれ加熱部材４２が設けられている。そして、当該収納袋３４が紙幣収納機構３２から取り出される前に、一方のステージ４０（例えば、図３における右側のステージ４０）が他方のステージ４０（例えば、図３における左側のステージ４０）に向かって移動してこれらのステージ４０が互いに接した状態で、収納袋３４に紙幣を収納したときに底部となる箇所に各加熱部材４２から熱が与えられることにより当該箇所が熱接着されて封止されるようになっている。なお、各加熱部材４２により熱接着されて封止される収納袋３４の箇所は、当該収納袋３４における紙幣の収納量によって変化するようになっている。
【００４７】
なお、本実施の形態では、各加熱部材４２は、各保持部材３６により保持される収納袋３４に紙幣を収納したときに底部となる箇所を熱により接着させて封止する第１の接着部として機能するようになる。なお、本実施の形態では、各ステージ４０に加熱部材４２が設けられる構成としたが、ステージ４０と第１の接着部とが別々に設けられていてもよい。また、各保持部材３６は、当該保持部材３６により保持される収納袋３４の開口３４ｐを接着剤により接着させて封止する第２の接着部として機能するようになる。言い換えると、各保持部材３６は、収納袋３４における開口３４ｐの近傍の箇所を保持する保持部、および当該保持部より保持される収納袋３４の開口３４ｐを接着剤により接着させて封止する第２の接着部の両方を兼ねるようになる。なお、本実施の形態ではこのような態様に限定されることはない。本実施の形態における他の態様では、収納袋３４における開口３４ｐの近傍の箇所を保持する保持部と、当該保持部より保持される収納袋３４の開口３４ｐを接着剤により接着させて封止する第２の接着部とが別々に設けられていてもよい。
【００４８】
図３に示すように、一対の一時保留部４４の上方には押し込み板４６（押圧部）が設けられている。当該押し込み板４６にはパンタグラフ４７が設けられており、このパンタグラフ４７が下方に伸びることによって押し込み板４６は図３に示す状態から下方に移動することができるようになっている。このような押し込み板４６が図３に示す状態から下方に移動することによって、各一時保留部４４に一時的に保留されている紙幣が収納袋３４に収納される際に、各一時保留部４４に残留してしまった紙幣を収納袋３４に向かって押し込むことができるようになる。収納繰出部２５として、巻き取り式の紙幣収納繰出部が用いられている場合は、収納繰出部２５に収納されている紙幣に反り癖が付く場合がある。このような紙幣を収納袋３４に収納した場合は、紙幣の端が収納袋３４の開口３４ｐに達し、開口３４ｐを接着剤により接着するときに紙幣も一緒に接着してしまう可能性がある。これに対し、収納袋３４に収納した紙幣を押し込み板４６で押し込むことにより、このような不具合を低減することができる。
【００４９】
また、図３に示すように、一対の保持部材３６のうち右側の保持部材３６の下方には片寄せレバー３９が設けられており、当該片寄せレバー３９により、一対の保持部材３６により保持される収納袋３４に収納された紙幣が当該収納袋３４内で片側に（具体的には、図３における左側に）寄せられるようになっている。より詳細には、片寄せレバー３９はパンタグラフや電動アクチュエータ等からなる片寄せレバー駆動部３９ａ（図８参照）により図３に示す状態から左側に移動させられるようになっている。
【００５０】
また、紙幣収納機構３２において、一対の保持部材３６により保持される収納袋３４の開口３４ｐの近傍には、当該収納袋３４の内面を撮像するためのカメラやビデオカメラ等の撮像部６０が設けられている。ここで、各保持部材３６により保持される収納袋３４の内面における開口３４ｐの近傍には目印が設けられており、撮像部６０によりこの目印が撮像されるようになっている。また、撮像部６０の近傍には、各保持部材３６により保持される収納袋３４の内面に光を照射する光源６２が設けられている。このような光源６２により収納袋３４の内面に光が照射されることにより、撮像部６０は収納袋３４の内面における開口３４ｐの近傍に形成される目印を鮮明に撮像することができるようになる。
【００５１】
また、本実施の形態による紙幣処理装置２０には、当該紙幣処理装置２０の各構成部材の制御を行う制御部５０が設けられている。より詳細には、図８に示すように、制御部５０には、投入部２１に装着された紙幣受入ユニット２１ａに設けられている紙幣繰出機構２１ｂ、投出部２２に設けられた羽根車２２ａを駆動するための羽根車駆動部２２ｂ、搬送部２３、識別部２４、収納繰出部２５、操作表示部２９、紙幣収納機構３２（具体的には、パンタグラフ３７、片寄せレバー駆動部３９ａ、ステージ駆動部４１、加熱部材４２、一時保留部４４、パンタグラフ４７および紙幣送り出し部４８）、記憶部５２、印字部５４、通信インターフェース部５６、撮像部６０、光源６２等がそれぞれ接続されている。そして、識別部２４による紙幣の識別結果や検知結果に係る信号や撮像部６０により撮像された画像が制御部５０に送られるとともに、制御部５０は紙幣処理装置２０の各構成部材に指令信号を送ることによりこれらの構成部材の動作を制御するようになっている。
【００５２】
また、記憶部５２には、紙幣処理装置２０における紙幣の入金処理等の処理履歴や、各収納繰出部２５および収納袋３４に収納されている紙幣の在高等に関する情報が記憶されるようになっている。また、印字部５４は、紙幣処理装置２０における紙幣の入金処理等の処理履歴や、各収納繰出部２５および収納袋３４に収納されている紙幣の在高等に関する情報をレシート等に印字するようになっている。また、制御部５０は通信インターフェース部５６を介して本実施の形態による紙幣処理装置２０とは別に設けられた外部装置（具体的には、例えば上位端末）に対して信号の送受信を行うことができるようになっている。具体的には、制御部５０は通信インターフェース部５６を介して記憶部５２に記憶されている情報を紙幣処理装置２０とは別に設けられた外部装置に送信することができるようになっている。例えば、警送会社の警備員等が収納袋３４ごと紙幣を回収する際に、回収された紙幣に関する情報が通信インターフェース部５６により警送会社のコンピュータ等に送信されるようになっている。
【００５３】
次に、紙幣収納機構３２において、搬送部２３から紙幣収納機構３２に送られた紙幣を一対の保持部材３６により保持されている収納袋３４に収納させる際の動作について簡単に説明する。
【００５４】
搬送部２３から紙幣収納機構３２に送られた紙幣は紙幣送り出し部４８により左右一対の一時保留部４４上に１枚ずつ送られ、これらの一時保留部４４上に積層状態で集積される。そして、所定の枚数の紙幣が各一時保留部４４上に集積されると、各一時保留部４４はその基端部分に設けられた軸４４ａを中心としてそれぞれ下方（すなわち、図３における矢印方向）に回転し、各一時保留部４４上に集積されている紙幣は自重によりこれらの一時保留部４４から落下して収納袋３４に積層状態で収納されるようになる。また、各一時保留部４４から紙幣が落下して収納袋３４に収納されると、各ステージ４０がステージ駆動部４１により下方に移動させられ、次に各一時保留部４４から収納袋３４に送られる紙幣の収納空間が当該収納袋３４の内部に形成されるようになる。また、本実施の形態では、制御部５０は、各保持部材３６により保持される収納袋３４の内部に紙幣を送って当該収納袋３４に紙幣を収納させる際に、一時保留部４４に保留される紙幣を押し込み板４６により収納袋３４の内部に押し込むようパンタグラフ４７を制御するようになっている。このことにより、各一時保留部４４に紙幣が残留した場合でも、このような残留している紙幣を各一時保留部４４から落下させて収納袋３４に収納させることができるようになる。
【００５５】
また、各保持部材３６により保持される収納袋３４に紙幣が収納される際に、撮像部６０により収納袋３４の内面における開口３４ｐの近傍の箇所に設けられた目印が常に撮像されるようになっている。そして、収納袋３４に所定量の紙幣が収納され、撮像部６０により撮影される画像において収納袋３４に収納された紙幣によって目印が遮られてこの目印が撮像部６０により撮像されなくなると、制御部５０は当該収納袋３４の紙幣の収納状態が異常であると判断する。異常な収納状態とは、収納袋３４の開口付近で紙幣が立った状態で収納されていたり、折れ曲がった紙幣が収納されているような状態である。このように、撮像部６０により撮影される画像に基づいて収納異常を検知することができるため、後述するように図３における右側の保持部材３６が左側の保持部材３６に向かって移動して収納袋３４の開口３４ｐを接着部分３４ｆにより封止する際に、収納袋３４に収納されている紙幣が各保持部材３６により挟まれてしまい当該収納袋３４の開口３４ｐにおいて紙幣を一緒に接着してしまうことを抑制することができる。なお、押し込み板４６による一時保留部４４の押し込み動作に基づいて、収納異常が制御部５０により判断されるようになっていてもよい。より詳細には、収納異常の場合には、一時保留部４４の可動域（図３における矢印参照）の中に収納袋３４に収納された紙幣が存在するようになる。この場合には、一時保留部４４を押し込み板４６により収納袋３４に押し込んだときに一時保留部４４の端部が収納袋３４に収納された紙幣と接触するため、一時保留部４４を収納袋３４の内部にそれ以上押し込むことができなくなる。このことに基づいて、収納異常を判断することができるようになる。また、一時保留部４４が図３に示す位置よりも上方に設けられており、一時保留部４４の可動域の中に収納袋３４に収納された紙幣が存在することがない場合にも、押し込み板４６の押し込み動作に基づいて、収納異常が制御部５０により判断されるようになっていてもよい。より詳細には、収納異常の場合には、押し込み板４６により一時保留部４４に保留された紙幣を収納袋３４の内部に押し込む際に、この押し込み板４６を収納袋３４に向かって動かすことのできる距離は、収納状態が正常な場合よりも短いものとなる。このことに基づいて、収納異常を判断することができるようになる。
【００５６】
封止処理が開始されると、各保持部材３６により保持される収納袋３４の開口３４ｐが封止されるようになっている。封止処理は、操作表示部２９から入力される指示に基づいて開始される。また、封止処理は、外部装置から入力される指示に基づいて開始されてもよい。また、封止処理は、収納袋３４に収納された紙幣の量が所定量となったことに基づいて開始されてもよい。所定量は、所定の枚数や所定の金額とすることができる。所定の枚数は、収納袋３４がフル状態またはニアフル状態となる枚数でもよい。また、封止処理は、時刻に基づいて開始されてもよい。ここで、入力される指示や時刻に基づいて封止処理が開始される場合は、封止処理の開始の前処理として、収納繰出部２５の紙幣を紙幣収納機構３２に搬送して収納袋３４に収納する回収処理を実行してもよい。回収処理は、収納繰出部２５に収納された紙幣をできるだけ回収するようにしてもよい。その場合は、収納袋３４に収納できる紙幣の枚数や金額に上限を設定しておくことが好ましい。また、回収処理は、収納袋３４に収納された紙幣の枚数や金額が所定の値になるように回収してもよい。また、回収処理は、収納繰出部２５に所定の枚数や所定の金額の紙幣を残し、それ以外の紙幣を回収してもよい。そして、収納袋３４の開口３４ｐが封止された後、当該収納袋３４は操作者の手により紙幣収納機構３２から取り出されるようになる。ここで、各保持部材３６により保持される収納袋３４の開口３４ｐを封止する封止処理の動作の詳細について図９および図１０を用いて以下に説明する。なお、以下に示すような封止処理の動作は、制御部５０が紙幣収納機構３２の各構成部材を制御することにより行われるようになっている。また、図９および図１０において、収納袋３４に収納されている紙幣を参照符号Ｐで示している。
【００５７】
図９（ａ）に示すように、収納袋３４に収納された紙幣の量が予め定めた所定の量になったと判断されると、紙幣収納機構３２から収納袋３４を取り出すことを操作者に促す旨のガイダンス画面が操作表示部２９に表示される。そして、操作者が封止処理開始の指令を操作表示部２９により制御部５０に入力すると、以下に示すような封止処理が開始されるようになる。
【００５８】
各保持部材３６により保持される収納袋３４の開口３４ｐを封止する封止処理が開始されると、まず、ステージ駆動部４１によって各ステージ４０を所定距離だけ下降させる（図９（ｂ）の矢印参照）。このことにより、鉛直方向における、収納袋３４に収納されている紙幣の上端と、各保持部材３６により保持されている収納袋３４の各接着部分３４ｆとの間の距離を所定の大きさ以上とすることができるようになる。よって、後述するように各保持部材３６が接近してこれらの保持部材３６の間に収納袋３４の開口３４ｐの近傍の箇所が挟まれたときに、収納袋３４に収納されている紙幣が各保持部材３６の間に挟まれてしまい当該紙幣が接着部分３４ｆに接触してしまうことによって紙幣が接着部分３４ｆに接着されてしまうことを抑制することができる。
【００５９】
制御部５０は、ステージ駆動部４１によって各ステージ４０を所定距離だけ下降させた後、図９（ｃ）に示すように各保持部材３６の間に収納袋３４が挟まれない程度に各保持部材３６の間の距離を小さくする。具体的には、右側の保持部材３６を左側の保持部材３６に接近する方向に移動させる。その後、図９（ｄ）に示すように右側のステージ４０を左側のステージ４０に接近する方向に移動させ、各ステージ４０によって収納袋３４の底部近傍の箇所を挟むようにする。なお、各保持部材３６の間の距離が小さくなるよう右側の保持部材３６を左側の保持部材３６に接近する方向に移動させる際に、各保持部材３６を互いに接触させるのではなく、各保持部材３６の間にわずかな隙間が生じるようにする。そして、図９（ｅ）に示すようにステージ駆動部４１によって各ステージ４０を所定距離だけ上昇させる。その後、図９（ｆ）に示すように右側の保持部材３６を更に左側の保持部材３６に接近する方向に移動させることによって収納袋３４の開口３４ｐの近傍の箇所を各保持部材３６により挟むようにする。このことにより、収納袋３４の内面に設けられた各接着部分３４ｆによって当該収納袋３４の開口３４ｐが封止されるようになる。ここで、上述したように、収納袋３４の袋本体３４ａの一方の内面に接着部分３４ｆが２本設けられているため、当該収納袋３４の開口３４ｐは２本の接着部分３４ｆにより封止されるようになる（図７参照）。この場合には、収納袋３４の開口３４ｐを１本の接着部分３４ｆにより封止した場合よりも、収納袋３４の開口３４ｐをより強固に封止することができるようになり、当該収納袋３４の開口３４ｐが悪意ある第三者によって開かれて当該収納袋３４から紙幣が抜き取られることをより一層確実に防止することができるようになる。
【００６０】
また、収納袋３４の開口３４ｐが封止された後、片寄せレバー駆動部３９ａによって片寄せレバー３９も図３における左方向に移動させる。このことにより、収納袋３４に収納されている紙幣は当該片寄せレバー３９により収納袋３４の外側から片側（具体的には、左側）に寄せられるようになる。
【００６１】
本実施の形態では、各ステージ４０を所定距離だけ上昇させる前に、図９（ｃ）に示すように各保持部材３６の間の距離が小さくなるよう右側の保持部材３６を左側の保持部材３６に接近する方向に移動させることにより、収納袋３４の開口部の張力を低減できる。これにより、各ステージ４０を所定距離だけ上昇させたときに、収納袋３４の端部が垂れ下がった状態が修正されやすくなる。また、各保持部材３６の間の距離が小さくなることにより、各ステージ４０を上昇させたときに収納袋３４の開口から紙幣が飛び出すことを防止できる。また、収納袋３４の開口３４ｐの近傍の箇所を各保持部材３６により挟む前は、収納袋３４の開口部がある程度自由な状態なので、各ステージ４０を所定距離だけ上昇させたときに、収納袋３４が垂れ下がった状態を確実に修正することができる。このことについて以下に詳述する。
【００６２】
収納袋３４に紙幣を収納することにより、収納袋３４に収納されている紙幣の負荷が当該収納袋３４の開口付近の箇所にかかり、当該収納袋３４の両端部がそれぞれ垂れ下がってしまうおそれがある。このように収納袋３４の端部が垂れ下がってしまうと、各保持部材３６によって収納袋３４の開口３４ｐの付近の箇所を挟むことにより各接着部分３４ｆにより当該収納袋３４の開口３４ｐを封止する際にシール不良が発生してしまうという問題がある。これに対し、本実施の形態では、各ステージ４０を所定距離だけ上昇させる前に、図９（ｃ）に示すように各保持部材３６の間に収納袋３４が挟まれない程度に各保持部材３６の間の距離が小さくなるよう右側の保持部材３６を左側の保持部材３６に接近する方向に移動させたり、収納袋３４の開口近傍の箇所を各保持部材３６により挟む前に、図９（ｅ）に示すように各ステージ４０を所定距離だけ上昇させたりすることにより、収納袋３４の端部が垂れ下がってしまうことを抑制することができるようになる。
【００６３】
制御部５０は、図９（ｆ）に示すように右側の保持部材３６を更に左側の保持部材３６に接近する方向に移動させる。これによって収納袋３４の開口３４ｐの近傍の箇所が各保持部材３６により挟まれる。制御部５０は、当該収納袋３４の開口３４ｐを各接着部分３４ｆにより封止した後、図１０（ａ）に示すようにステージ駆動部４１によって各ステージ４０を所定距離だけ更に上昇させる。ここで、収納袋３４の開口３４ｐを各接着部分３４ｆにより封止した後に各ステージ４０を上昇させることにより、収納袋３４の内部にある余分な空気を抜くことができるようになり、当該収納袋３４の容積を小さくすることができるようになる。後述するように紙幣収納機構３２から収納袋３４が取り出された後、当該収納袋３４は例えば操作者によってバンド等により縛られるようになるが、収納袋３４の内部にある余分な空気を抜いて当該収納袋３４の容積を小さくしておくと、収納袋３４をバンド等により縛る作業を容易に行うことができるようになる。
【００６４】
そして、制御部５０は、図１０（ａ）に示すようにステージ駆動部４１によって各ステージ４０を所定距離だけ更に上昇させ、図１０（ｂ）に示すような状態になると、収納袋３４に紙幣を収納したときに底部となる箇所を各加熱部材４２により熱接着して封止する。収納袋３４における、各加熱部材４２により熱接着されて封止される箇所を図７において参照符合３４ｈで示す。このように、本実施の形態では、収納袋３４の開口３４ｐを封止した後に、収納袋３４に紙幣を収納したときに底部となる箇所を各加熱部材４２により熱接着して封止する。このため、封止処理を行う途中で何らかのトラブルが生じてしまい当該封止処理が中断された場合でも、収納袋３４の開口３４ｐから悪意ある第三者によって紙幣が抜き取られてしまうことを防止することができるようになる。なお、図７に示す例では、収納袋３４における、各加熱部材４２により熱接着されて封止される箇所は１箇所（１本の横方向に延びる細長い領域）となっているが、このような例に限定されることはない。他の例として、収納袋３４における、各加熱部材４２により熱接着されて封止される箇所が２箇所以上（具体的には、２本以上の横方向に延びる細長い領域）となっていてもよい。この場合には、各加熱部材４２により熱接着されて封止される箇所が１箇所（具体的には、１本の横方向に延びる細長い領域）である場合と比較して、収納袋３４に紙幣を収納したときに底部となる箇所をより強固に封止することができるようになる。
【００６５】
収納袋３４に紙幣を収納したときに底部となる箇所を各加熱部材４２により熱接着して封止した後、図１０（ｃ）に示すように各ステージ４０が互いに離間するようステージ駆動部４１によって右側のステージ４０を左側のステージ４０から遠ざかる方向に移動させる。そして、図１０（ｄ）に示すように各保持部材３６が離間するよう右側の保持部材３６を左側の保持部材３６から遠ざかる方向に移動させる。その後、収納袋３４を各保持部材３６から取り外すことにより、紙幣収納機構３２の各保持部材３６の上方側から収納袋３４を上方向に取り出すことができるようになる。
【００６６】
以上のように、本実施の形態の紙幣処理装置２０によれば、各保持部材３６により保持される収納袋３４に紙幣を収納したときに底部となる箇所を熱により接着させて封止する第１の接着部として各加熱部材４２が設けられているとともに、各保持部材３６により保持される収納袋３４の開口３４ｐを接着剤（具体的には、各接着部分３４ｆ）により接着させて封止する第２の接着部として各保持部材３６が設けられている。このように、収納袋３４に紙幣を収納したときに底部となる箇所を熱により接着させて封止することにより、収納袋３４の内部に空きスペースが生じてしまうことを抑制することができる。しかも収納袋３４の開口３４ｐを接着剤により接着させて封止した場合は、収納袋３４の開口３４ｐを熱により接着させて封止した場合に比べて、開口３４ｐが不正に開かれて再び封止されたことを判別しやすいので、このような不正行為を判別することが容易となる。
【００６７】
より詳細に説明すると、収納袋３４の開口３４ｐのみをシールし、当該収納袋３４に紙幣を収納したときに底部となる箇所を熱により接着させて封止しなかった場合には、紙幣の収納量によっては収納袋３４の内部に空きスペースが生じてしまうおそれがある。また、収納袋３４の開口３４ｐを熱により接着させて封止した場合には、当該開口３４ｐを開いた後に再び熱封止したときに開口３４ｐが開かれたという跡が収納袋に残らないため、収納袋３４の開口３４ｐが不正に開かれたときにこのような不正行為を判別することができないという問題がある。これに対し、収納袋３４の開口３４ｐを接着剤により接着させて封止した場合には、当該開口３４ｐを開いた後に再び接着剤により封止しても、開口３４ｐが開かれたという跡が収納袋３４に残るため、収納袋３４の開口３４ｐが不正に開かれたときにこのような不正行為を判別することができるようになる。
【００６８】
なお、本実施の形態による紙幣処理装置２０や紙幣処理方法（具体的には、各保持部材３６により保持される収納袋３４の開口を封止する封止処理の方法）は、上記の態様に限定されることはなく、様々な変更を加えることができる。
【００６９】
例えば、本実施の形態による紙幣処理装置２０では、紙幣収納機構３２において一方に開口が設けられた収納袋３４の内部に紙幣が収納されるようになっているが、このような態様に限定されることはない。変形例に係る紙幣処理装置では、上部および下部にそれぞれ開口が設けられた筒形状の収納袋が保持部により保持されるとともに、当該保持部に保持される収納袋に紙幣が収納されるようになっていてもよい。この場合でも、本発明の原理を上述した変形例に係る紙幣処理装置に適用することができるようになる。
【００７０】
また、本実施の形態による紙幣処理装置２０では、収納袋３４の一方の内面における開口３４ｐの近傍に各接着部分３４ｆが設けられており、当該接着部分３４ｆにより収納袋３４の開口３４ｐが封止されるようになっているが、このような態様に限定されることはない。変形例に係る紙幣処理装置では、収納袋に紙幣が収納された後、当該収納袋の開口近傍の箇所が各保持部材により挟まれる前に、収納袋の内面における開口近傍の箇所に接着剤が塗布されるようになっていてもよい。このような変形例に係る紙幣処理装置では、収納袋の内面における開口近傍の箇所に接着剤を塗布する塗布機構（図示せず）が第２の接着部として設けられるようになる。
【００７１】
また、図３等に示す紙幣収納機構３２では、各保持部材３６に加熱部材が設けられておらず、収納袋３４の開口３４ｐは熱接着により封止されるようにはなっていない。しかしながら、本実施の形態はこのような態様に限定されることはない。本実施の形態における他の態様では、収納袋３４の開口３４ｐを熱接着により封止するための加熱部材が各保持部材３６に設けられていてもよい。このような変形例に係る紙幣収納機構３２ａについて図１１を用いて説明する。
【００７２】
図１１に示すように、変形例に係る紙幣収納機構３２ａでは、各保持部材３６にそれぞれ加熱部材３８が設けられている。そして、紙幣収納機構３２において各保持部材３６により保持された収納袋３４に所定量の紙幣が収納された後、当該収納袋３４が紙幣収納機構３２から取り出される前に、一方の保持部材３６が他方の保持部材３６に向かって移動する。そして、これらの保持部材３６が互いに接した状態で、加熱部材３８によって収納袋３４の開口近傍の箇所に熱を与えることにより当該収納袋３４の開口３４ｐを熱封止することができるようになっている。このような変形例に係る紙幣収納機構３２ａを備えた紙幣処理装置では、収納袋３４の開口３４ｐを各接着部分３４ｆにより接着するか、または収納袋３４の開口３４ｐを各加熱部材３８により熱封止するかを選択することができるようになっている。例えば、操作者が操作表示部２９により選択することができるようになっている。そして、収納袋３４の開口３４ｐを各加熱部材３８により熱封止することを選択した場合には、図１０（ｂ）に示すような状態で、収納袋３４に紙幣を収納したときに底部となる箇所が各加熱部材４２により熱接着されて封止される前に、収納袋３４の開口３４ｐが各加熱部材３８により熱封止されるようになる。このような変形例に係る紙幣収納機構３２ａでは、開口近傍の箇所に接着部分が設けられていないような収納袋が紙幣収納機構３２ａに取り付けられた場合でも、当該収納袋の開口を熱封止することができるようになる。
【００７３】
また、所定の情報に基づいて、収納袋３４の開口３４ｐを各接着部分３４ｆにより接着するか、または収納袋３４の開口３４ｐを各加熱部材３８により熱封止するかを自動的に選択することができるようにしてもよい。所定の情報は、例えば、収納袋３４の種類や、接着部分３４ｆの有無などの収納袋３４に関する情報とすることができる。
【００７４】
また、収納袋３４の開口３４ｐを各接着部分３４ｆにより接着し、さらに各加熱部材３８により熱封止してもよい。そのためには、収納袋３４の開口３４ｐの各接着部分３４ｆが設けられた位置と加熱部材３８が接触する位置とを互いにずれた位置とすることが好ましい。このような変形例に係る紙幣収納機構３２ａでは、収納袋の開口をより強固に封止することができ、不正による開封をより確実に防止できるようになる。
【００７５】
また、本実施の形態では、紙幣収納機構３２等において複数の紙幣が積層状態で収納される収納袋は図５および図７に示すような構成のものに限定されることはない。紙幣収納機構３２等において複数の紙幣が積層状態で収納される収納袋として、図１２に示すものが用いられてもよい。図１２に示す収納袋８０は、略長方形形状の２枚のフィルムを重ね合わせた後に両側縁近傍の箇所および底部近傍の箇所（すなわち、図１２において参照符合８０ａで示す箇所）をそれぞれ熱により接着して封止することにより形成されるようになっている。また、図１２に示す収納袋８０では、熱封止された両側縁近傍の箇所８０ａの外側のスペース（すなわち、図１２においてドットで示す領域８０ｂ）を大きく取るようになっている。具体的には、収納袋８０における熱封止された両側縁近傍の箇所８０ａの外側の領域８０ｂの幅の大きさを１０ｍｍ乃至５０ｍｍの範囲内の大きさとする。また、図１２に示す収納袋８０では、開口近傍の箇所の端部８０ｃに目盛りや文字が印刷されるようになっている。
【００７６】
このような収納袋８０を用いた場合には、紙幣が収納された後に開口近傍の箇所８１および底部となる箇所８２がそれぞれ封止された後、悪意ある第三者によって収納袋８０の側縁における熱封止された箇所８０ａがカッター等により縦に切断されて当該側縁から紙幣が抜き取られた場合でも、このような不正行為を簡単に発見できるようになる。より詳細に説明すると、収納袋８０の片方の側縁における熱封止された箇所８０ａが縦に切断された場合には、熱封止された両側縁近傍の箇所８０ａの外側の領域８０ｂを大きく取っていることにより、当該領域８０ｂの左右の長さが異なるようになるため（具体的には、収納袋８０を幅方向における中央位置で二つ折りに折り曲げたときに左右非対称となるため）、収納袋８０の側縁における熱封止された箇所８０ａが縦に切断されたことを簡単に発見することができるようになる。また、収納袋８０の片方の側縁における熱封止された箇所８０ａが縦に切断された場合には、開口近傍の箇所の端部８０ｃに印刷されている目盛りや文字が欠落するようになるため、収納袋８０の側縁における熱封止された箇所８０ａが縦に切断されたことを簡単に発見することができるようになる。
【００７７】
なお、図１２に示す収納袋８０において、熱封止された両側縁近傍の箇所８０ａの外側の領域８０ｂが着色されるようになっていてもよい。この場合には、収納袋８０の片方の側縁における熱封止された箇所８０ａが縦に切断されたときに、着色された領域８０ｂの大きさが左右で異なるようになるため、収納袋８０の側縁における熱封止された箇所８０ａが縦に切断されたことを簡単に発見することができるようになる。
【００７８】
また、本実施の形態では、図１０（ａ）に示すように、収納袋３４の開口３４ｐの近傍の箇所を各保持部材３６により挟み、当該収納袋３４の開口３４ｐを各接着部分３４ｆにより封止した後に、ステージ駆動部４１によって各ステージ４０を所定距離だけ上昇させる際に、収納袋３４の下端近傍の箇所を固定するか下方に引っ張るようにしてもよい。このような技術的事項について図１３（ａ）〜（ｃ）を用いて説明する。
【００７９】
図１３（ａ）に示す収納袋８４は、略長方形形状の２枚のフィルムを重ね合わせた後に両側縁近傍の箇所および底部近傍の箇所（すなわち、図１３（ａ）において参照符合８４ａで示す箇所）をそれぞれ熱により接着して封止することにより形成されるようになっている。また、図１３（ａ）に示す収納袋８４では、その下端近傍の箇所に錘８５を引っ掛けるための開口８４ｂ（引っ掛け穴）が設けられている。このような収納袋８４の上部に設けられた開口を封止する場合には、封止処理が行われる際に操作者が最初に収納袋８４の開口８４ｂに錘８５を引っ掛けておく。このことにより、ステージ駆動部４１によって各ステージ４０を所定距離だけ上昇させる際に、収納袋８４の下端近傍の箇所が錘８５により下方に引っ張られるため、収納袋８４が弛んでしまうことを防止することができるようになる。
【００８０】
また、図１３（ｂ）に示す収納袋８６は、略長方形形状の２枚のフィルムを重ね合わせた後に両側縁近傍の箇所および底部近傍の箇所（すなわち、図１３（ｂ）において参照符合８６ａで示す箇所）をそれぞれ熱により接着して封止することにより形成されるようになっている。また、紙幣収納機構において各保持部材により保持される収納袋８６の下方に左右一対のフック８７が位置固定で設けられており、収納袋８６の下端近傍の隅部には各フック８７を引っ掛けるための左右一対の開口８６ｂ（引っ掛け穴）が設けられている。このような収納袋８６の上部に設けられた開口を封止する場合には、封止処理が行われる際に操作者が最初に収納袋８６の各開口８６ｂにそれぞれフック８７を引っ掛けておく。このことにより、ステージ駆動部４１によって各ステージ４０を所定距離だけ上昇させる際に、収納袋８６の下端近傍の箇所が各フック８７により固定されるため、収納袋８６が弛んでしまうことを防止することができるようになる。
【００８１】
また、図１３（ｃ）に示す収納袋８８は、略長方形形状の２枚のフィルムを重ね合わせた後に両側縁近傍の箇所および底部近傍の箇所（すなわち、図１３（ｃ）において参照符合８８ａで示す箇所）をそれぞれ熱により接着して封止することにより形成されるようになっている。また、紙幣収納機構において各保持部材により保持される収納袋８８の下方にクリップ８９が位置固定で設けられており、収納袋８８の下端近傍の箇所がクリップ８９により挟まれるようになっている。このような収納袋８８の上部に設けられた開口を封止する場合には、封止処理が行われる際に操作者が最初に収納袋８８の下端近傍の箇所をクリップ８９で挟んでおく。このことにより、ステージ駆動部４１によって各ステージ４０を所定距離だけ上昇させる際に、収納袋８８の下端近傍の箇所がクリップ８９により固定されるため、収納袋８８が弛んでしまうことを防止することができるようになる。
【００８２】
また、紙幣処理装置として、図１４に示すような構成のものが用いられてもよい。図１４に示す紙幣処理装置１１０は、概してスーパーマーケット等の店舗のフロント領域やバックヤード領域、あるいは銀行ロビーや銀行の内部に配置されるものであり、当該紙幣処理装置１１０は、紙幣の入金処理等の様々な処理を行うことができるようになっている。図１４に示すように、紙幣処理装置１１０は略直方体形状の筐体１１２を有している。なお、図１４における筐体１１２の左側の面が当該筐体１１２の前面（すなわち、操作者が対向する面）となっている。また、筐体１１２の内部には、上部ユニット１１４および下部ユニット１１６がそれぞれ当該筐体１１２の前面から前方（具体的には、図１４における左方向）に引き出し可能となるよう収容されている。上部ユニット１１４において、筐体１１２の前面上部（図１４における左側の面の上部）には、筐体１１２の外部から内部に紙幣を投入するための受入ホッパ等の投入部１２０が設けられている。また、上部ユニット１１４において、筐体１１２の前面（図１４における左側の面）における投入部１２０の下方には、筐体１１２の内部から外部に紙幣を投出するための投出部１２２が設けられている。
【００８３】
投入部１２０には、操作者により当該投入部１２０に積層状態で載置された紙幣を１枚ずつ筐体１１２の内部に繰り出すための紙幣繰出機構１２０ａが設けられている。また、上部ユニット１１４において、紙幣処理装置１１０の筐体１１２の内部には、当該筐体１１２内で紙幣を１枚ずつ搬送する搬送部１２４が設けられており、紙幣繰出機構１２０ａにより投入部１２０から繰り出された紙幣は当該搬送部１２４により１枚ずつ搬送されるようになっている。また、搬送部１２４には識別部１２６が設けられており、紙幣繰出機構１２０ａにより搬送部１２４に繰り出された紙幣は識別部１２６によりその金種、正損、真偽等が識別されるようになっている。また、識別部１２６は例えばイメージセンサを有しており、当該イメージセンサにより紙幣の画像を取得することができるようになっている。
【００８４】
図１４に示すように、搬送部１２４には投出部１２２が接続されており、搬送部１２４から投出部１２２に送られた紙幣は当該投出部１２２に集積されるようになっている。また、投出部１２２は筐体１１２の外部からアクセス可能となっており、操作者は投出部１２２に集積された紙幣を筐体１１２の前面から取り出すことができるようになっている。また、搬送部１２４における投出部１２２との接続箇所には羽根車１２２ａが設けられており、当該羽根車１２２ａは図１４における反時計回りの方向に回転するようになっている。そして、搬送部１２４から投出部１２２に紙幣が送られる際に、羽根車１２２ａにおける２つの羽根の間に紙幣が挟まれた状態で当該羽根車１２２ａが図１４における反時計回りの方向に回転することにより、羽根車１２２ａの２つの羽根の間に挟まれた紙幣は投出部１２２に整列された状態で集積されるようになる。
【００８５】
また、上部ユニット１１４において、搬送部１２４にはテープ式の収納繰出部１３０が設けられており、搬送部１２４から収納繰出部１３０に送られた紙幣が当該収納繰出部１３０に収納されるとともにこの収納繰出部１３０に収納されている紙幣を１枚ずつ搬送部１２４に繰り出すことができるようになっている。より詳細には、収納繰出部１３０は正逆両方向に回転可能なドラム１３０ａが設けられており、当該ドラム１３０ａの外周面には一対の帯状のテープ１３１の一端が接続されている。そして、搬送部１２４から収納繰出部１３０に紙幣が送られると、これらの帯状のテープ１３１により当該紙幣は１枚ずつテープ１３１ごとドラム１３０ａに巻き取られるようになっている。一方、ドラム１３０ａを逆方向に回転させることにより各テープ１３１をドラム１３０ａから巻き戻すとドラム１３０ａに巻き取られている紙幣も各テープ１３１から放出されて搬送部１２４に繰り出されるようになる。
【００８６】
図１４に示すように、下部ユニット１１６には、開口が設けられた収納袋１３４の内部に紙幣を収納させるための紙幣収納機構１３２が複数（例えば、２つ）設けられている。ここで、各紙幣収納機構１３２には、紙幣を積層状態で収納する収納袋１３４が着脱自在に取付可能となっており、搬送部１２４から各紙幣収納機構１３２に送られた紙幣が収納袋１３４内に積層状態で収納されるようになっている。ここで、図１４に示す紙幣処理装置１１０の各紙幣収納機構１３２に取り付けられる収納袋１３４は図５や図７に示すような収納袋３４と略同一の構成となっている。
【００８７】
また、各紙幣収納機構１３２は図３に示す紙幣収納機構３２と略同一の構成となっている。すなわち、各々の紙幣収納機構１３２において、一対の保持部材１３６が互いに対向するよう離間して設けられており、収納袋１３４の開口の近傍の箇所が各保持部材１３６によりそれぞれ保持されるようになっている。ここで、ある保持部材１３６（具体的には、例えば図１４における左側の保持部材１３６）はその位置が固定されているのに対し、別の保持部材１３６（具体的には、例えば図１４における右側の保持部材１３６）は位置固定の保持部材１３６に向かって移動することができるようになっている。このようにして、一方の保持部材１３６が他方の保持部材１３６に向かって移動させられると、一方の保持部材１３６の面が、他方の保持部材１３６の面に接するようになる。また、収納袋１３４において剥離シートが剥がされることにより各接着部分が露出している場合には、各保持部材１３６が互いに接すると収納袋１３４の一方の内面に設けられた各接着部分が収納袋１３４の他方の内面に接着することにより収納袋１３４の開口が封止されるようになる。
【００８８】
また、各紙幣収納機構１３２において、各保持部材１３６により保持される収納袋１３４の少なくとも一部が載置されるステージ１４０が設けられている。ステージ１４０は左右一対のものからなり、各ステージ１４０は図１４における上下方向および左右方向にそれぞれ移動可能となっている。また、保持部材１３６により保持される収納袋１３４の一部を、この隙間を通って各ステージ１４０から下方に延びるようにすることができるようになっている。また、各ステージ１４０にはそれぞれ加熱部材１４２が設けられている。そして、収納袋１３４が紙幣収納機構１３２から取り出される前に、一方のステージ１４０（例えば、図１４における右側のステージ１４０）が他方のステージ１４０（例えば、図１４における左側のステージ４０）に向かって移動してこれらのステージ１４０が互いに接した状態で、収納袋１３４に紙幣を収納したときに底部となる箇所に各加熱部材１４２から熱が与えられることにより当該箇所が熱接着されて封止されるようになっている。なお、各加熱部材１４２により熱接着されて封止される収納袋１３４の箇所は、当該収納袋１３４における紙幣の収納量によって変化するようになっている。
【００８９】
また、上部ユニット１１４において、搬送部１２４からは各紙幣収納機構１３２に対応して複数（図１４に示す例では２つ）の分岐搬送部１２５が分岐しており、搬送部１２４から分岐搬送部１２５に分岐させられた紙幣が当該分岐搬送部１２５から各紙幣収納機構１３２に装着された収納袋１３４に送られて当該収納袋１３４に収納されるようになっている。
【００９０】
なお、図１４に示すような紙幣処理装置１１０において、２つの紙幣収納機構１３２のうち片方の紙幣収納機構１３２では当該紙幣収納機構１３２に取り付けられた収納袋１３４の開口が接着部分により封止されるが他方の紙幣収納機構１３２に取り付けられた収納袋１３４の開口が熱封止されるようになっていてもよい。この場合には、片方の紙幣収納機構１３２の各保持部材１３６に加熱部材（図示せず）が設けられるようになる。そして、この紙幣収納機構１３２では、紙幣を回収する場合の条件に基づいて、いずれの紙幣収納機構１３２を用いるか選択することができる。すなわち、開口が接着部分により封止された収納袋１３４で紙幣を回収するか、開口が加熱により封止された収納袋１３４で紙幣を回収するかを選択することができる。例えば、開口が加熱により封止された収納袋１３４で紙幣を回収する場合は、加熱部材が設けられた紙幣収納機構１３２に取り付けられた収納袋１３４に、回収したい紙幣を収納する。紙幣を回収する場合の条件は、様々な条件を設定することができる。例えば、紙幣収納機構１３２から取り外された収納袋１３４の搬送先に基づいて、収納袋１３４で紙幣を回収するか否かを決めてもよい。このような紙幣処理装置１１０では、紙幣が収納された収納袋１３４のうち銀行等の金融機関に運ばれるものについては開口が接着部分により封止されるとともに、紙幣処理装置１１０が設置された店舗内で、紙幣が収納された収納袋１３４が使用される場合には、収納袋１３４の開口が熱封止されるようになる。紙幣が収納された収納袋１３４が銀行等の金融機関に運ばれる場合には、収納袋１３４の開口が不正に開かれたときにこのような不正行為を判別することができるようにしておくことが望ましいからである。また、紙幣を回収する場合の条件は、収納袋１３４を搬送する搬送者に関する条件であってもよい。また、紙幣を回収する場合の条件は、収納袋１３４に収納される紙幣の枚数や金額に関する条件であってもよい。
【００９１】
なお、図１４に示すような紙幣処理装置１１０において、２つの紙幣収納機構１３２のうち片方の紙幣収納機構１３２において各ステージ１４０の設置が省略され、各保持部材１３６により保持される収納袋１３４の底部が自重によって下方に垂れ下がるようになっていてもよい。あるいは、２つの紙幣収納機構１３２のうち片方の紙幣収納機構１３２では、図１４において右側の紙幣収納機構１３２で示すように、各保持部材１３６により収納袋１３４が保持されても各ステージ１４０が離間した状態に維持されるようになっていてもよい。このような紙幣収納機構１３２では、収納袋１３４の内部に空きスペースが生じてしまうおそれがあるが、紙幣が収納された収納袋１３４が銀行等の金融機関に運ばれることなく店舗内で使用される場合には、収納袋１３４の内部に多少の空きスペースが生じても問題ない。
【００９２】
また、図１４に示すような紙幣処理装置１１０において、２つの紙幣収納機構１３２のそれぞれにおいて各保持部材１３６に加熱部材（図示せず）が設けられていてもよい。そして、各々の紙幣収納機構１３２において、収納袋１３４の開口を接着剤等の接着部分により接着するか、または収納袋１３４の開口を加熱部材により熱封止するかを操作者が操作表示部１５２により選択することができるようになっていてもよい。
【００９３】
また、本発明に係る紙葉類処理装置は紙幣以外の紙葉類（例えば、小切手および商品券等）の処理を行うものであってもよい。言い換えると、図３等に示すような紙幣収納機構３２が紙幣以外の紙葉類の処理を行う場合にも本発明の原理が適用されるようになっていてもよい。この場合であっても、収納袋３４に紙葉類を収納したときに底部となる箇所を熱により接着させて封止するとともに、収納袋３４の開口３４ｐを接着剤（具体的には、例えば各接着部分３４ｆ）により接着させて封止することにより、収納袋３４の内部に空きスペースが生じてしまうことを抑制することができ、しかも収納袋３４の開口３４ｐが不正に開かれてもこのような不正行為を判別することができるようになる。
【符号の説明】
【００９４】
１        貨幣処理機
２０      紙幣処理装置
２０ａ    筐体
２１      投入部
２１ａ    紙幣受入ユニット
２１ｂ    紙幣繰出機構
２２      投出部
２２ａ    羽根車
２２ｂ    羽根車駆動部
２３      搬送部
２３ａ    端部
２４      識別部
２５      収納繰出部
２７      機外リジェクト部
２８      機内リジェクト部
２９      操作表示部
３２、３２ａ  紙幣収納機構
３４      収納袋
３４ａ    袋本体
３４ｂ    取付タブ
３４ｃ    耳部分
３４ｄ    開口
３４ｅ    ミシン目
３４ｆ    接着部分
３４ｇ    剥離シート
３４ｐ    開口
３６      保持部材
３６ａ    ピン
３６ｋ    枠体
３６ｐ    ガイドピン
３６ｑ    長穴
３７      パンタグラフ
３８      加熱部材
３９      レバー
３９ａ    レバー駆動部
４０      ステージ
４０ａ    ヒンジ部
４１      ステージ駆動部
４２      加熱部材
４４      一時保留部
４４ａ    軸
４６      押し込み板
４７      パンタグラフ
４８      紙幣送り出し部
５０      制御部
５２      記憶部
５４      印字部
５６      通信インターフェース部
６０      撮像部
６２      光源
７０      紙幣導入部
７２、７４  ローラ
８０、８４、８６、８８  収納袋
８５      錘
８７      フック
８９      クリップ
９０      硬貨処理装置
１１０    紙幣処理装置
１１２    筐体
１１４    上部ユニット
１１６    下部ユニット
１２０    投入部
１２０ａ  紙幣繰出機構
１２２    投出部
１２２ａ  羽根車
１２４    搬送部
１２５    分岐搬送部
１２６    識別部
１３０    収納繰出部
１３０ａ  ドラム
１３１    テープ
１３２    紙幣収納機構
１３４    収納袋
１３６    保持部材
１４０    ステージ
１４２    加熱部材
１５２    操作表示部
【図１】
2018181138.tif 000003
【図２】
2018181138.tif 000004
【図３】
2018181138.tif 000005
【図４】
2018181138.tif 000006
【図５】
2018181138.tif 000007
【図６】
2018181138.tif 000008
【図７】
2018181138.tif 000009
【図８】
2018181138.tif 000010
【図９】
2018181138.tif 000011
【図１０】
2018181138.tif 000012
【図１１】
2018181138.tif 000013
【図１２】
2018181138.tif 000014
【図１３】
2018181138.tif 000015
【図１４】
2018181138.tif 000016